(57)【特許請求の範囲】
【請求項１】
電線を受ける接続端子部と、アース端子部とを有する導電ブロックを備え、
前記アース端子部は、
中央片と、
側片と、
を有し、
前記中央片は、長手方向において対向する第１端および第２端を有し、
前記中央片は、前記第２端で前記接続端子部に電気的に接続され、
前記中央片は、幅方向において対向する両側端を有し
前記側片は、前記中央片の前記両側端のそれぞれから、前記長手方向に直交し、かつ、前記幅方向に交差する方向に延び、
前記導電ブロックが取り付けられるハウジングは、構造物に固定されるように構成され、
前記構造物は、前記アース端子部を挿通させるように構成された端子挿通孔を備え、
前記アース端子部は、前記ハウジングが前記構造物に固定された際に、前記構造物に設けられた前記端子挿通孔の内面に前記側片で接触するように、前記ハウジングから突出し、
前記側片は、前記中央片側の端部から前記中央片と反対側の端部までの長さが、前記第１端から前記第２端に向かうにつれ大きくなる傾斜部を有する
ことを特徴とする端子台。
【請求項２】
電線を受ける接続端子部と、アース端子部とを有する導電ブロックを備え、
前記アース端子部は、
中央片と、
側片と、
を有し、
前記中央片は、長手方向において対向する第１端および第２端を有し、
前記中央片は、前記第２端で前記接続端子部に電気的に接続され、
前記中央片は、幅方向において対向する両側端を有し
前記側片は、前記中央片の前記両側端のそれぞれから、前記長手方向に直交し、かつ、前記幅方向に交差する方向に延び、
前記導電ブロックが取り付けられるハウジングは、構造物に固定されるように構成され、
前記構造物は、前記アース端子部を挿通させるように構成された端子挿通孔を備え、
前記アース端子部は、前記ハウジングが前記構造物に固定された際に、前記構造物に設けられた前記端子挿通孔の内面に前記側片で接触するように、前記ハウジングから突出し、
前記側片は、
前記第１端側に位置し前記中央片側の端部から前記中央片と反対側の端部までの長さが小さい幅狭部と、
前記第２端側に位置し前記中央片側の端部から前記中央片と反対側の端部までの長さが大きい幅広部と、
を備え、
前記アース端子部において前記幅狭部が設けられた位置の幅は、前記アース端子部において前記幅広部が設けられた位置の幅よりも狭い
ことを特徴とする端子台。
【請求項３】
電線を受ける接続端子部と、アース端子部とを有する導電ブロックを備え、
前記アース端子部は、
中央片と、
側片と、
を有し、
前記中央片は、長手方向において対向する第１端および第２端を有し、
前記中央片は、前記第２端で前記接続端子部に電気的に接続され、
前記中央片は、幅方向において対向する両側端を有し
前記側片は、前記中央片の前記両側端のそれぞれから、前記長手方向に直交し、かつ、前記幅方向に交差する方向に延び、
前記導電ブロックが取り付けられるハウジングは、構造物に固定されるように構成され、
前記構造物は、前記アース端子部を挿通させるように構成された端子挿通孔を備え、
前記アース端子部は、前記ハウジングが前記構造物に固定された際に、前記構造物に設けられた前記端子挿通孔の内面に前記側片で接触するように、前記ハウジングから突出し、
前記側片は、
前記中央片側の端部から前記中央片と反対側の端部までの長さが、前記第１端から前記第２端に向かうにつれ大きくなる傾斜部と、
前記第１端側に位置し前記中央片側の端部から前記中央片と反対側の端部までの長さが小さい幅狭部と、
前記第２端側に位置し前記中央片側の端部から前記中央片と反対側の端部までの長さが大きい幅広部と、
を備え、
前記アース端子部において前記幅狭部が設けられた位置の幅は、前記アース端子部において前記幅広部が設けられた位置の幅よりも狭い
ことを特徴とする端子台。
【請求項４】
前記幅狭部と、前記傾斜部と、前記幅広部とは前記第１端側からこの順に長手方向に沿って並び、前記幅狭部と前記幅広部とは前記傾斜部で連結される
ことを特徴とする請求項３に記載の端子台。
【請求項５】
前記アース端子部は、前記中央片に突出片を備え、
前記突出片は、前記第１端から前記第２端に向けて突出する
ことを特徴とする請求項２に記載の端子台。
【請求項６】
前記アース端子部は、前記中央片に突出片を備え、
前記突出片は、前記第１端から前記第２端に向けて突出する
ことを特徴とする請求項１、３、４のうちいずれか１項に記載の端子台。
【請求項７】
前記側片は、前記中央片側の端部から前記中央片と反対側 
の端部までの長さが、前記第１端から前記第２端に向かうにつれ大きくなる傾斜部を有し、
前記突出片は、前記傾斜部よりも前記第１端側に形成される
ことを特徴とする請求項５に記載の端子台。
【請求項８】
前記突出片は、前記傾斜部よりも前記第１端側に形成される
ことを特徴とする請求項６に記載の端子台。
【請求項９】
前記アース端子部は、前記接続端子部に一体に形成される
ことを特徴とする請求項７に記載の端子台。
【請求項１０】
前記アース端子部は、前記接続端子部に一体に形成される
ことを特徴とする請求項８に記載の端子台。
【請求項１１】
前記ハウジングは、前記電線を通す電線挿通孔を有し、
前記接続端子部は、前記電線挿通孔を通して前記ハウジングに挿入された前記電線を受けるように前記ハウジング内に配置される
ことを特徴とする請求項９に記載の端子台。
【請求項１２】
前記ハウジングは、前記電線を通す電線挿通孔を有し、
前記接続端子部は、前記電線挿通孔を通して前記ハウジングに挿入された前記電線を受けるように前記ハウジング内に配置される
ことを特徴とする請求項１０に記載の端子台。
【請求項１３】
請求項１１に記載の端子台を備え、
前記構造物は、光源が取り付けられる器具本体である
ことを特徴とする照明器具。
【請求項１４】
請求項１２に記載の端子台を備え、
前記構造物は、光源が取り付けられる器具本体である
ことを特徴とする照明器具。
【発明の詳細な説明】
【技術分野】
【０００１】
本発明は、端子台および、端子台を用いた照明器具に関するものである。
【背景技術】
【０００２】
従来、電線挿通孔を有するハウジングと、このハウジングに収納され電線挿通孔から挿通された電線が接続される導電ブロックとを備える端子台がある。一般的に端子台には複数の導電ブロックが収納されており、この複数の導電ブロックのうち１つは、アース電線が接続される。そして、例えば、文献１（日本国公開特許公報第平５−２７５１３２号）に示すように、アース電線が接続される導電ブロックの一部（アース端子部）がハウジングから突出し、端子台が取り付けられる取り付け板に形成された端子挿通孔の内周面にアース端子部を接触させることで、取り付け板のアース（接地）を行っている。【０００３】
一般的にアース端子部は、薄い平板状に形成されている。したがって、アース端子部と端子挿通孔の内周面とを接触させるためには、アース端子部の断面と略同じ大きさの端子挿通孔を形成する必要がある。そのため、端子挿通孔の開口寸法は、高い精度が求められる。特に平板状に形成されたアース端子部の厚みに対応させた場合、端子挿通孔の開口寸法は小さくなることが多く、端子挿通孔を形成するのが困難であった。
【発明の開示】
【０００４】
本発明は、上記事由に鑑みてなされたものであり、その目的は、端子挿通孔の形成を容易にし、確実に端子挿通孔の内周面に接触させることができる端子台および、これを用いた照明器具を提供することにある。
【０００５】
本発明に係る端子台は、導電ブロックを備える。前記導電ブロックは、電線を受ける接続端子部と、アース端子部とを有する。前記アース端子部は、中央片と、側片と、を有する。前記中央片は、長手方向において対向する第１端および第２端を有する。前記中央片は、前記第２端で前記接続端子部に電気的に接続される。前記中央片は、幅方向において対向する両側端を有する。前記側片は、前記中央片の前記両側端のそれぞれから、前記長手方向に直交し、かつ、前記幅方向に交差する方向に延びる。前記導電ブロックが取り付けられるハウジングは、構造物に固定されるように構成される。前記構造物は、前記アース端子部を挿通させるように構成された端子挿通孔を備える。前記アース端子部は、前記ハウジングが前記構造物に固定された際に、前記構造物に設けられた前記端子挿通孔の内面に前記側片で接触するように、前記ハウジングから突出する。前記側片は、前記中央片側の端部から前記中央片と反対側の端部までの長さが、前記第１端から前記第２端に向かうにつれ大きくなる傾斜部を有する。
本発明に係る端子台は、導電ブロックを備える。前記導電ブロックは、電線を受ける接続端子部と、アース端子部とを有する。前記アース端子部は、中央片と、側片と、を有する。前記中央片は、長手方向において対向する第１端および第２端を有する。前記中央片は、前記第２端で前記接続端子部に電気的に接続される。前記中央片は、幅方向において対向する両側端を有する。前記側片は、前記中央片の前記両側端のそれぞれから、前記長手方向に直交し、かつ、前記幅方向に交差する方向に延びる。前記導電ブロックが取り付けられるハウジングは、構造物に固定されるように構成される。前記構造物は、前記アース端子部を挿通させるように構成された端子挿通孔を備える。前記アース端子部は、前記ハウジングが前記構造物に固定された際に、前記構造物に設けられた前記端子挿通孔の内面に前記側片で接触するように、前記ハウジングから突出する。前記側片は、幅狭部と、幅広部と、を備える。前記幅狭部は、前記第１端側に位置し前記中央片側の端部から前記中央片と反対側の端部までの長さが小さい。前記幅広部は、前記第２端側に位置し前記中央片側の端部から前記中央片と反対側の端部までの長さが大きい。前記アース端子部において前記幅狭部が設けられた位置の幅は、前記アース端子部において前記幅広部が設けられた位置の幅よりも狭い。
本発明に係る端子台は、導電ブロックを備える。前記導電ブロックは、電線を受ける接続端子部と、アース端子部とを有する。前記アース端子部は、中央片と、側片と、を有する。前記中央片は、長手方向において対向する第１端および第２端を有する。前記中央片は、前記第２端で前記接続端子部に電気的に接続される。前記中央片は、幅方向において対向する両側端を有する。前記側片は、前記中央片の前記両側端のそれぞれから、前記長手方向に直交し、かつ、前記幅方向に交差する方向に延びる。前記導電ブロックが取り付けられるハウジングは、構造物に固定されるように構成される。前記構造物は、前記アース端子部を挿通させるように構成された端子挿通孔を備える。前記アース端子部は、前記ハウジングが前記構造物に固定された際に、前記構造物に設けられた前記端子挿通孔の内面に前記側片で接触するように、前記ハウジングから突出する。前記側片は、傾斜部と、幅狭部と、幅広部と、を備える。前記傾斜部は、前記中央片側の端部から前記中央片と反対側の端部までの長さが、前記第１端から前記第２端に向かうにつれ大きくなる。前記幅狭部は、前記第１端側に位置し前記中央片側の端部から前記中央片と反対側の端部までの長さが小さい。前記幅広部は、前記第２端側に位置し前記中央片側の端部から前記中央片と反対側の端部までの長さが大きい。前記アース端子部において前記幅狭部が設けられた位置の幅は、前記アース端子部において前記幅広部が設けられた位置の幅よりも狭い。
【００１１】
本発明に係る照明器具は、上記の端子台を備える。前記構造物は、光源が取り付けられる器具本体である。
【図面の簡単な説明】
【００１２】
【図１】本発明の一実施形態の端子台を示す分解斜視図である。
【図２】上記の端子台が備える導電ブロックの外観斜視図である。
【図３】上記の端子台が備える導電ブロックの側面図である。
【図４】上記の端子台が備えるアース端子部の拡大図である。
【図５】上記の端子台を構造物に取り付けた様子を示す外観斜視図である。
【図６】上記の端子台が備えるアース端子部の拡大図である。
【図７】上記の端子台を前記構造物に取り付ける方法を示す一部破断した外観斜視図である。
【図８】上記のアース端子部と前記構造物に設けられた端子挿通孔との平面図である。
【図９】上記の端子台を取り付ける照明器具の外観斜視図である。
【図１０】従来のアース端子と構造物に設けられた端子挿通孔との平面図である。
【発明を実施するための形態】
【００１３】
以下、本発明の実施形態を図面に基づいて説明する。
【００１４】
（実施形態）
本実施形態の端子台１０の構成について、図１〜８を用いて説明する。
【００１５】
本実施形態の端子台１０は、ハウジング１と、ハウジング１に収納される３つの導電ブロック２とを備え、例えば、照明器具に取り付けられる。以降、図１に示した上下・左右方向を、本実施形態の端子台１０における上下・左右方向とし、図１で定義した上下・左右方向を含む平面と直交する方向を本実施形態の端子台１０における前後方向として説明する。
【００１６】
ハウジング１は、下面が開口した箱状の本体１１と、下方から本体１１の開口を覆うように本体１１に結合されるカバー１２とで構成され、内部に各導電ブロック２が収納される収納部１４を備える。本体１１の前面には、３つの係止孔１１１が左右方向に並んで形成されている。また、カバー１２の前面には、各係止孔１１１に係止される凸部１２１が左右方向に並設されている。そして、係止孔１１１の各々に、凸部１２１の各々が係止されることで、本体１１とカバー１２とが結合される。
【００１７】
本体１１は、前面に３つの電線挿通部１３が左右方向に並設されている。電線挿通部１３、左右方向に並列して形成された第１の電線挿通孔１３１ａ，第２の電線挿通孔１３１ｂで構成されており、電線挿通部１３の開口形状は、左右方向に並ぶ円形状の第１，第２の電線挿通孔１３１ａ，１３１ｂを組み合わせた形状となっている。そして、第１の電線挿通孔１３１ａに第１の電線が挿通され、第２の電線挿通孔１３１ｂに第２の電線が挿通される。つまり、電線挿通孔１３１（電線挿通部１３）は、電線（例えば、アース線）を挿通させるように構成されている。そして、ハウジング１は、電線挿通孔１３１を有する。
【００１８】
また、ハウジング１内には、導電ブロック２を収納する収納部１４が形成されている。つまり、導電ブロック２は、ハウジング１に取り付けられるように構成されている。各導電ブロック２は、電線挿通部１３と一対一に対応付けられており、第１，第２の速結端子部２１ａ，２１ｂを有している。つまり、導電ブロック２は、速結端子部２１（２１ａ，２１ｂ）を有する。第１の速結端子部２１ａは、第１の電線挿通孔１３１ａに挿通された第１の電線を鎖錠接続する。ここで、鎖錠接続とは工具を用いずに電線を固定する接続方法を指す。第２の速結端子部２１ｂは、第２の電線挿通孔１３１ｂに挿通された第２の電線を鎖錠接続する。また、第１，第２の速結端子部２１ａ，２１ｂは、互いに連結部２２によって接続されており、同一の電線挿通部１３に挿通される一対の電線（第１，第２の電線）は、導電ブロック２によって電気的に接続される。したがって、例えば第１の電線の一端を電源に接続する場合、第２の電線の一端を他の機器（端子台など）に接続して送り配線することができる。
【００１９】
また、導電ブロック２は、負荷端子部２３を有しており、ハウジング１の後面に形成された第３の電線挿通孔１３２に挿通された第３の電線を鎖錠接続する。この第３の電線の一端は、負荷である照明器具の点灯装置に接続されることで、点灯装置に電力が供給される。つまり、負荷端子部２３は、負荷に接続される端子である。本実施形態では、負荷端子部２３は、照明器具の点灯装置に接続される。
【００２０】
次に、導電ブロック２の構造について図２〜４を用いて説明する。導電ブロック２は、導電性を有する金属の板材を折り曲げ加工することで形成されている。なお、３つの導電ブロック２を区別する場合は、導電ブロック２Ａ，２Ｂ，２Ｃと称し、ハウジング１内において、左から導電ブロック２Ａ，２Ｂ，２Ｃの順に収納されている。
【００２１】
導電ブロック２は、第１，第２の速結端子部２１ａ，２１ｂと連結部２２と負荷端子部２３で構成されている。換言すれば、本実施形態の導電ブロック２は、接続端子部２００を備える。接続端子部２００は、速結端子部２１と、負荷端子部２３とを有する。接続端子部２００は、電線挿通孔１３１を通して挿入された電線（例えば、アース線）を受けるようにハウジング１内に配置される。
【００２２】
連結部２２は、上下方向を厚み方向とする底面２２１と、底面２２１の両側端を上方向に折り曲げ左右方向を厚みとする第１，第２の側壁２２２ａ，２２２ｂと、底面２２１の後端側を上方向に折り曲げ前後方向を厚み方向とする後壁２２３とで構成されている。
【００２３】
底面２２１は、幅広部２２１ａと幅広部２２１ａの前方に形成される幅狭部２２１ｂとで構成されている。そして、幅広部２２１ａの後端側を上方向に略直角に折り曲げられることで、後壁２２３が形成されている。また、幅狭部２２１ｂの左端側を上方向に略直角に折り曲げられることで第１の側壁２２２ａが形成され、幅狭部２２１ｂの右端側を上方向に略直角に折り曲げられることで第２の側壁２２２ｂが形成されている。
【００２４】
そして、第１の側壁２２２ａに第１の速結端子部２１ａが設けられ、第２の側壁２２２ｂに第２の速結端子部２１ｂが設けられ、後壁２２３に負荷端子部２３が設けられる。
【００２５】
第１の速結端子部２１ａは、第１の電線受け部２１１ａと、第１の鎖錠片２１２ａと、第１の接続片２１３ａとを備えており、第１の側壁２２２ａの左側に設けられる。
【００２６】
第１の電線受け部２１１ａは、第１の側壁２２２ａの上端を左側に略半円状に折り曲げられることで形成されている。第１の電線受け部２１１ａは、第１の電線の挿通方向を規定するガイドとしての機能を有している。第１の接続片２１３ａは、第１の側壁２２２ａの前端を左側に略直角に折り曲げられることで形成されており、第１の鎖錠片２１２ａと第１の側壁２２２ａとを接続する。第１の鎖錠片２１２ａは、第１の接続片２１３ａの上端を斜め後方向に折り曲げられることで形成されており、先端が第１の電線受け部２１１ａの下面に向かって弾接する弾接力を有している。
【００２７】
第１の鎖錠片２１２ａが弾性変形していない状態では、第１の鎖錠片２１２ａの先端と第１の電線受け部２１１ａとの距離は第１の電線の外径に対して十分小さくされている。したがって、第１の電線が第１の電線挿通孔１３１ａを介してハウジング１内に挿通されると、第１の鎖錠片２１２ａと第１の電線受け部２１１ａとで第１の電線を挟持することで第１の電線が鎖錠接続される。
【００２８】
また、第１の鎖錠片２１２ａは、第１の電線受け部２１１ａの左側に延設された第１の解除片２１４ａを備えている。この第１の解除片２１４ａは、本体１１の上面に設けられる解除ボタン１５に当接する。そして、解除ボタン１５が下方向に押圧操作され、第１の解除片２１４ａが下方に変位することで、第１の鎖錠片２１２ａの先端が第１の電線受け部２１１ａから離れる方向に弾性変形する。そして、第１の鎖錠片２１２ａの下方への弾性変形が所定量に達すると、第１の電線に対する鎖錠が解除され、第１の電線を第１の電線挿通孔１３１ａから引き抜くことができる。
【００２９】
第２の速結端子部２１ｂは、第２の電線受け部２１１ｂと、第２の鎖錠片２１２ｂと、第２の接続片２１３ｂとを備えており、第２の側壁２２２ｂの右側に設けられる。
【００３０】
第２の電線受け部２１１ｂは、第２の側壁２２２ｂの上端を右側に略半円状に折り曲げられることで形成されている。第２の電線受け部２１１ｂは、第２の電線の挿通方向を規定するガイドとしての機能を有している。第２の接続片２１３ｂは、第２の側壁２２２ｂの前端を右側に略直角に折り曲げられることで形成されており、第２の鎖錠片２１２ｂと第２の側壁２２２ｂとを接続する。第２の鎖錠片２１２ｂは、第２の接続片２１３ｂの上端を斜め後方向に折り曲げられることで形成されており、先端が第２の電線受け部２１１ｂの下面に向かって弾接する弾接力を有している。
【００３１】
第２の鎖錠片２１２ｂが弾性変形していない状態では、第２の鎖錠片２１２ｂの先端と第２の電線受け部２１１ｂとの距離は第２の電線の外径に対して十分小さくされている。したがって、第２の電線が第２の電線挿通孔１３１ｂを介してハウジング１内に挿通されると、第２の鎖錠片２１２ｂと第２の電線受け部２１１ｂとで第２の電線を挟持することで第２の電線が鎖錠接続される。
【００３２】
また、第２の鎖錠片２１２ｂは、第２の電線受け部２１１ｂの右側に延設された第２の解除片２１４ｂを備えている。この第２の解除片２１４ｂは、本体１１の上面に設けられる解除ボタン１５に当接する。そして、解除ボタン１５を下方向に押圧操作され、第２の解除片２１４ｂが下方に変位することで、第２の鎖錠片２１２ｂの先端が第２の電線受け部２１１ｂから離れる方向に弾性変形する。そして、第２の鎖錠片２１２ｂの下方への弾性変形が所定量に達すると、第２の電線に対する鎖錠が解除され、第２の電線を第２の電線挿通孔１３１ｂから引き抜くことができる。
【００３３】
負荷端子部２３は、電線受け部２３１と立上片２３２と鎖錠片２３３とで構成され、後壁２２３の後ろ側に設けられる。
【００３４】
電線受け部２３１は、後壁２２３の上端を後方に略直角に折り曲げられることで形成されている。立上片２３２は、電線受け部２３１の後端を上方向に略直角に折り曲げられることで形成されており、矩形状の挿通孔２３４が左右方向に並んで形成されている。挿通孔２３４は、上下方向に長い矩形状で、立上片２３２の下端まで連続して開口している。鎖錠片２３３は、各挿通孔２３４の上端から下方に向かって延設され、下端である先端に向かうにつれて立上片２３２から離れるように前方に傾斜しており、先端が電線受け部２３１の上面に向かって弾接する弾性力を有している。
【００３５】
鎖錠片２３３が弾性変形していない状態では、鎖錠片２３３の先端と電線受け部２３１との距離は第３の電線の外径に対して十分小さくされている。したがって、第３の電線が第３の電線挿通孔１３２を介してハウジング１内に挿通され、挿通孔２３４を挿通すると、鎖錠片２３３と電線受け部２３１とで第３の電線を挟持することで第３の電線が鎖錠接続される。
【００３６】
また、３つの導電ブロック２のうち、一番右側に収納される導電ブロック２Ｃは、アース線が接続されるアース端子であり、端子台１０が取り付けられる取り付け板（構造物）３に接触するアース端子部２４を備えている。つまり、導電ブロック２Cは、接続端子部２００に加えて、アース端子部２４を備えている。そして、接続端子部２００は、電線（例えば、アース線）を受けるように構成されている。
【００３７】
なお、本実施形態において、端子台１０は、導電ブロック２として、接続端子部２００と、アース端子部２４とを備える導電ブロック２Ｃを備えていればよい。つまり、本実施形態の端子台１０において、アース端子部２４を備えない導電ブロック２Ａ、２Bは任意の構成である。
【００３８】
アース端子部２４は、図１で定義された左右方向（図３、４の紙面垂直方向；図８の上下方向）を厚み方向とする板状の中央片２４１と、中央片２４１の両側端２４１ｃ、２４１ｃから延設され中央片２４１に対して傾斜した板状の側片２４２とで構成されている。つまり、アース端子部２４は、中央片２４１と、側片２４２とを備える。中央片２４１は、第１端２４１ａと第２端２４１ｂを有する。第１端２４１ａと第２端２４１ｂとは、中央片２４１の長さ方向において、互いに対向している。中央片２４１は、第２端２４１ｂで接続端子部２００に電気的に接続される。中央片２４１は、第１端２４１ａと第２端２４１ｂに加え、対向する両側端２４１ｃ、２４１ｃを備える。側端２４１ｃ、２４１ｃは、中央片２４１の幅方向において、互いに対向している。側片２４２は、中央片２４１の側端２４１ｃ、２４１ｃのそれぞれから、中央片２４１の長手方向に直交し、かつ、中央片２４１の幅方向に交差する方向に延びている。本実施形態では、側片２４２がひとつずつふたつの側端２４１ｃにそれぞれ設けられている。
【００３９】
中央片２４１は、負荷端子部２３の電線受け部２３１の右端を下方に略直角に折り曲げられることで形成されている。つまり、本実施形態では、アース端子部２４は、接続端子部２００に一体に形成されている。また、中央片２４１には、矩形状の開口２４３が形成されており、開口２４３の下端（第１端２４１ａ側）を基端部２４４ａとし、先端部２４４ｂが中央片２４１の第１端２４１ａから第２端２４１ｂに向かい、且つ、中央片２４１から離れる方向（図１における右上方向）へ突出した突出片（切り起し片）２４４が形成されている。換言すれば、中央片２４１は、切り起された切り起し片（突出片）２４４を有している。つまり、アース端子部２４は、中央片２４１において、第１端２４１ａから第２端２４１ｂへと突出する突出片２４４を備える。換言すれば、突出片２４４は基端部２４４ａが中央片２４１に固定され、先端部２４４ｂが基端部２４４ａよりも接続端子部２００側に配置されている。
【００４０】
側片２４２は、中央片２４１の両側端（図３における左右の端部）２４１ａ、２４１ａから延設されており、中央片２４１に対して（図１では左方へ）傾斜している。また、側片２４２の側端（側片２４２における中央片２４１と反対側の端部）２４２ｃには、中央片２４１の先端（第１端）２４１ａ側（図１及び図３における下側）から負荷端子部２３（接続端子部２００）に接続される基端（第２端）２４１ｂ側（図１及び図３における上側）に向かうにつれて中央片２４１から離れる方向に傾斜した傾斜縁２４５ｃが形成されている。つまり、側片２４２には、傾斜縁２４５ｃを備える傾斜部２４５が形成されている。さらに換言すれば、側片２４２は、中央片２４１側の端部（中央片２４１の側端）２４１ｃから、中央片２４１と反対側の端部２４２ｃまでの長さが、第１端２４１ａから第２端２４１ｂに向かうにつれ大きくなる傾斜部２４５を有する。傾斜部２４５は、中央片２４１と反対側の端部２４２ｃである傾斜縁２４５ｃを備える。傾斜縁２４５ｃは、第１端２４１ａから第２端２４１ｂに向かうにつれ、中央片２４１から離れる方向に傾斜している。したがって、側片２４２は、下方（第１端２４１ａ側）に位置し側片２４２の幅（側片２４２において中央片２４１側の端部（中央片２４１の側端２４１ｃ）と中央片２４１と反対側の端部２４２ｃとの距離）が狭い幅狭部２４６と、上方（第２端２４１ｂ側）に位置し、側片２４２の幅が幅狭部２４６よりも広い幅広部２４７とで構成されている。幅狭部２４６と幅広部２４７とは、傾斜部２４５で連結されている。つまり、側片２４２は、中央片２４１の長手方向に沿って第１端２４１ｂ側から幅狭部２４６と、傾斜部２４５と、幅広部２４７とが順に並ぶように構成されている。
【００４１】
そして、上記構成の導電ブロック２Ａ，２Ｂ，２Ｃのそれぞれは、ハウジング１内に形成された収納部１４に配設され、本体１１とカバー１２とが結合されることでハウジング１内に収納される。カバー１２には、アース端子部２４を挿通させる挿通孔（図示なし）が形成されており、導電ブロック２Ｃはアース端子部２４がハウジング１から図１で定義した下方に突出した状態で収納される。また、本実施形態の端子台１０は、照明器具の取り付け板（構造物）３に取り付けられ、この取り付け板３にはアース端子部２４を挿通させる端子挿通孔３１が形成されている。そして、図５及び図６に示すように、端子台１０を取り付け板３に取り付けた際に、ハウジング１の下面（取り付け面）から突出したアース端子部２４が端子挿通孔３１に挿通する。つまり、ハウジング１は、構造物３に固定されるように構成されている。構造物３は、アース端子部２４を挿通させるように構成された端子挿通孔３１を備える。アース端子部２４は、ハウジング１が構造物３に固定された際に、構造物３に設けられた端子挿通孔３１の内面に側片２４２で接触するようにハウジング１から突出するよう設計されている。端子挿通孔３１の内面は、構造物３と導通するように構成されている。そのため、端子台１０を構造物３に取り付けてアース端子部２４と端子挿通孔３１とを接触させると、構造物３はアースを取ることができる。
【００４２】
図７に示す端子台１０を一部破断させた斜視図を用いて、取り付け板（構造物）３への端子台１０の取り付けについて説明する。図７（ａ）は、端子台１０を構造物３へ取り付ける前の状態を示している。図７（ｂ）は、端子台１０を構造物３へ取り付けた後の状態を示しており、アース端子部２４は、構造物３の端子挿通孔３１の内面（内周面）に接触している。
【００４３】
取り付け板３には、図１で定義した前後方向を長手方向とし、長手方向の長さを幅とする開口形状が矩形状の端子挿通孔３１が形成されており、この端子挿通孔３１にアース端子部２４が挿通するように端子台１０が取り付けられる。ここで、アース端子部２４の先端（第１端）２４１ａ側における幅（幅狭部２４６における側片２４２の端部２４２ｃ、２４２ｃ同士の間隔）をＬ１、アース端子部２４の基端（第２端）２４１ｂ側における幅（幅広部２４７における側片２４２の端部２４２ｃ、２４２ｃ同士の間隔）をＬ２とする（図４参照）。ここで、本実施形態におけるアース端子部２４の幅は、図１では前後方向の長さで示し、図３、図４及び図８では、左右方向の長さで示している。また、端子挿通孔３１の図１において前後方向で示している長手方向の長さを幅Ｌ３とする（図４及び図８参照）。本実施形態では、端子挿通孔３１の幅Ｌ３、アース端子部２４において幅狭部２４６が設けられた位置の幅Ｌ１、アース端子部２４において幅広部２４７が設けられた位置の幅Ｌ２の関係が、Ｌ１＜Ｌ３＜Ｌ２となるようにアース端子部２４を形成している。これにより、アース端子部２４を端子挿通孔３１に挿通させる際に、先端（第１端）２４１ａ側の幅Ｌ１は端子挿通孔３１の幅Ｌ３よりも狭いのでアース端子部２４を端子挿通孔３１に挿通しやすくなる。
【００４４】
さらに、アース端子部２４の基端（第２端）２４１ｂ側の幅（幅広部２４７が設けられた位置の幅）Ｌ２は、端子挿通孔３１の幅Ｌ３よりも広いので、アース端子部２４が端子挿通孔３１に挿通すると、側片２４２の傾斜部２４５（傾斜縁２４５ｃ）が端子挿通孔３１の内周面に当接することとなる。すなわち、端子挿通孔３１への挿入力を増加させることなく、アース端子部２４を端子挿通孔３１の内周面に確実に接触させることができ、取り付け板３をアース（接地）することができる。つまり、アース端子部２４は、第１端２４１ａ側の幅狭部２４６を備える位置における幅Ｌ１が、端子挿通孔３１の幅Ｌ３より小さく構成され、第１端２４１ａで端子挿通孔３１を通過するように構成されている。また、アース端子部２４は、第２端２４１ｂ側の幅広部２４７を備える位置における幅Ｌ２が、端子挿通孔３１の幅Ｌ３より大きく構成されている。そして、アース端子部２４は、第１端２４１ａから第２端２４１ｂに向かって幅Ｌ１から幅Ｌ２の間で幅広になる傾斜部２４５を第１端２４１ａと第２端２４１ｂとの間（幅狭部２４６と幅広部２４７との間）に備える。ここで、Ｌ１、Ｌ２、Ｌ３は、Ｌ１＜Ｌ３＜Ｌ２の関係を満たすため、傾斜部２４５は、幅Ｌ３を有する部分を備えることになる。したがって、アース端子部２４は、第１端２４１ａから第２端２４１ｂに向かう方向に第１端２４１ａを端子挿通孔３１に挿通することで、幅がＬ３となる傾斜部２４５の位置で端子挿通孔３１の内面に接触することができる。
【００４５】
つまり、構造物３のアースを取る場合には、接続端子部２００にアース線を受け、そして、アース端子部２４を構造物３の導電性を備える部位（本実施形態では、端子挿通孔３１の内面）に接触させればよい。あるいは、アース端子部２４を構造物３の導電性を備える部位（本実施形態では、端子挿通孔３１の内面）に接触させたのち、接続端子部２００にアース線を受けてもよい。
【００４６】
また、本実施形態のアース端子部２４は、中央片２４１と中央片２４１に対して傾斜した側片２４２とを備えているため、本実施形態のアース端子部２４を用いるときには、従来のアース端子を用いるときに比べ、端子挿通孔３１の短手方向の幅、つまり厚みＬ５（図８における上下方向の長さ；図１における左右方向の長さ；図３及び４における紙面垂直方向の長さ）を大きくすることができる。従来の端子台では、例えば、図１０に示すように、アース端子部２４Ａを平板状に形成した場合、アース端子部２４Ａを端子挿通孔３１ａの内周面に接触させるためには、端子挿通孔３１の短手方向（図１０における上下方向）の幅、つまり厚みＬ４を、アース端子部２４Ａの厚みと略同一にする必要がある。なお、図１０では、端子挿通孔３１ａに対してアース端子部２４Ａを小さく図示している。このように、従来のアース端子部２４Ａでは、アース端子部２４Ａを平板状に形成した場合、取り付け板３に短手方向の幅、つまり厚みＬ４が小さい端子挿通孔３１ａを形成する必要があり、端子挿通孔３１ａの形成が困難であった。つまり、従来の平板状のアース端子部２４Ａを用いる場合では、アース端子部２４Ａを挿通させる端子挿通孔３１はアース端子部２４Ａの板の厚みと同じ厚みで形成される必要があった。
【００４７】
しかし、本実施形態では図８に示すように、アース端子部２４は、中央片２４１と中央片２４１に対して傾斜した側片２４２とを備えているため、従来のアース端子部２４Ａを形成する平板と同じ厚みの中央片２４１を用いてアース端子部２４を形成しても、アース端子部２４としての厚みを、アース端子部２４Ａを形成する平板の厚みよりも容易に大きくすることができる。そのため、端子挿通孔３１の短手方向（図８における上下方向）における幅、つまり厚みＬ５を従来の端子挿通孔３１の厚みＬ４（又は幅）より大きくしても（Ｌ５＞Ｌ４）、端子挿通孔３１とアース端子部２４とを安定に接触させることができる。なお、図８（ａ）では、アース端子部２４を端子挿通孔３１に挿通させる前を表しており、そのため、端子挿通孔３１に対してアース端子部２４を小さく図示している。図８（ｂ）では、アース端子部２４を端子挿通孔３１に挿通させた後を表しており、アース端子部２４と端子挿通孔３１とは接触している。すなわち、アース端子部２４を形成する板の厚みがアース端子部２４Ａと同一であっても、側片２４２を備えていることによって、端子挿通孔３１の短手方向の幅、つまり厚みＬ５を大きくすることができ、アース端子部２４を接触させる端子挿通孔３１の形成が容易となる。
【００４８】
また、端子挿通孔３１の幅Ｌ３と、アース端子部２４の幅Ｌ１，Ｌ２との関係が、Ｌ１＜Ｌ３＜Ｌ２であれば、アース端子部２４を端子挿通孔３１の内周面に確実に接触させることができるので、端子挿通孔３１の開口寸法に高い精度が要求されず、端子挿通孔３１の形成がさらに容易となる。
【００４９】
また、ＩＥＣ（国際電気標準会議）では、アース接地の信頼性向上のため、アース端子部２４に取り付け板（構造物）３への保持構造が要求される。そこで、本実施形態のアース端子部２４は、中央片２４１の一面から切り起された切り起し片２４４を有している。図１で定義した方向で説明すれば、アース端子部２４を端子挿通孔３１に挿通させる際、切り起し片２４４は、右面が端子挿通孔３１の内周縁に当接しながら左方へ撓むことで、端子挿通孔３１に挿通する。そして、端子挿通孔３１を挿通した後は、切り起し片２４４の先端部２４４ｂが端子挿通孔３１よりも右側に変位しているため、取り付け板３への抜け止めがなされ、取り付け板３に保持される。つまり、アース端子部２４は、第１端２４１ａから第２端２４１ｂに向けて突出する突出片２４４を備える。突出片２４４は、第１端２４１ａ側の基端部２４４ａで中央片２４１に固定され、先端部２４４ｂが中央片２４１から離れる方向（図３の紙面垂直方向）に突出している。つまり、突出片２４４は先端部２４４ｂが中央片２４１の厚み方向（図１０の上下方向）に撓むように、基端部２４４ａで中央片２４１に固定され、かつ、先端部２４４ｂが中央片２４１と離れて位置するように構成されている。
【００５０】
また、突出片２４４は、傾斜部２４５よりも第１端２４１ａ側に形成される。つまり、アース端子部２４において、突出片２４４の基端部２４４ａ及び先端部２４４ｂは、傾斜部２４５よりも第１端２４１ａ側にある。本実施形態では、突出片２４４の幅（図３における左右方向の長さ）は、アース端子部２４の第１端２４１ａ側における幅Ｌ１より小さく形成されている。
【００５１】
また、突出片２４４の先端部２４４ｂと中央片２４１との中央片２４１の厚み方向の距離Ｌ６は、端子挿通孔３１の厚みＬ５より大きくともよい。Ｌ６がＬ５より大きい場合であっても、アース端子部２４を端子挿通孔３１に第１端２４１ａ側から挿入すれば、突出片２４４の先端部２４４ｂは中央片２４１の厚み方向に撓んで、突出片２４４を端子挿通孔３１に通過させることができる。そして、側片２４２が端子挿通孔３１の内周面に接することができる。
【００５２】
また、本実施形態の導電ブロック２は、一つの板材を折り曲げ加工することで各部を形成しているため、組み立て時の部品点数を減らすことができ、組み立て費を削減することができる。つまり、アース端子部２４は、接続端子部２００に一体に形成される。
【００５３】
以上述べたように、本実施形態の端子台１０は、以下の第１の特徴を備える。第１の特徴では、端子台１０は、電線を受ける接続端子部２００と、アース端子部２４とを有する導電ブロック２Ｃを備える。アース端子部２４は、中央片２４１と、側片２４２とを有する。中央片２４１は長手方向において、対向する第１端２４１ａおよび第２端２４１ｂを有する。中央片２４１は、第２端２４１ｂで接続端子部２００に電気的に接続される。中央片２４１は、幅方向において、対向する両側端２４１ｃ、２４１ｃを有する。側片２４２は、中央片２４１の両側端２４１ｃ、２４１ｃのそれぞれから、長手方向に直交し、かつ、幅方向に交差する方向に延びる。
【００５４】
本発明の端子台１０は、端子挿通孔の形成を容易にし、確実に端子挿通孔の内周面に接触させることができるという効果を奏する。
【００５５】
また、本実施形態の端子台１０は、第１及び第２の特徴に加えて、以下の第３の特徴を備える。第３の特徴では、側片２４２は、中央片２４１側の端部２４１ｃから中央片２４１と反対側の端部２４２ｃまでの長さが、第１端２４１ａから第２端２４１ｂに向かうにつれ大きくなる傾斜部２４４を有する。なお、本実施形態の端子台１０において、第３の特徴は任意の特徴である。
【００５６】
また、本実施形態の端子台１０は、第１及び第２の特徴に加えて、以下の第３の特徴を備える。第３の特徴では、側片２４２は、中央片２４１側の端部２４１ｃから中央片２４１と反対側の端部２４２ｃまでの長さが、第１端２４１ａから第２端２４１ｂに向かうにつれ大きくなる傾斜部２４５を有する。なお、本実施形態の端子台１０において、第３の特徴は任意の特徴である。
【００５７】
また、本実施形態の端子台１０は、第１〜第３の特徴に加えて、以下の第４の特徴を備える。第４の特徴では、突出片２４４は、傾斜部２４５よりも第１端２４１ａ側に形成される。なお、本実施形態の端子台１０において、第４の特徴は任意の特徴である。
【００５８】
また、本実施形態の端子台１０は、第１〜第４のうちいずれか一つの特徴に加えて、以下の第５の特徴を備える。第５の特徴では、アース端子部２４は、接続端子部２００に一体に形成される。なお、本実施形態の端子台１０において、第５の特徴は任意の特徴である。
【００５９】
また、本実施形態の端子台１０は、第５の特徴に加えて、以下の第６の特徴を備える。第６の特徴では、導電ブロック２Ｃが取り付けられるハウジング１は、構造物３に固定されるように構成されている。ハウジング１は、電線を通す電線挿通孔１３１を有する。接続端子部２００は、電線挿通孔１３１を通してハウジング１に挿入された前記電線を受けるようにハウジング１内に配置される。構造物３は、アース端子部２４を挿通させるように構成された端子挿通孔３１を備える。アース端子部２４は、ハウジング１が構造物３に固定された際に、構造物３に設けられた端子挿通孔３１の内面に側片２４２で接触するように、ハウジング１から突出する。
【００６０】
以上の第１及び第６の特徴を換言すれば、端子台１０は、電線を挿通させる電線挿通孔１３１と、構造物３に対して取付け面が対向するように取り付けられるハウジング１と、ハウジング１に収納され、電線挿通孔１３１に挿通された前記電線が鎖錠接続される１乃至複数の導電ブロック２とを備える。前記１乃至複数の導電ブロック２のうち少なくとも１つは、ハウジング１の前記取付け面から突出して構造物３に形成された端子挿通孔３１に挿通するアース端子部２４を有する。アース端子部２４は、板状の中央片２４１と、当該中央片２４１の両側端２４１ｃ、２４１ｃから延設され中央片２４１に対して傾斜した板状の側片２４２とを有する。側片２４２は、端子挿通孔３１の内周面に当接する。
【００６１】
また、第２の特徴を換言すれば、アース端子部２４は、中央片２４１の一面から切り起された切り起し片２４４を有する。
【００６２】
また、第３の特徴を換言すれば、側片２４２の側端２４２ｃは、中央片２４１の先端２４１ａ側から導電ブロック２Ｃに接続される基端２４１ｂ側に向かうにつれて中央片２４１から離れる方向に傾斜した傾斜部２４５を有する。
【００６３】
また、第５の特徴を換言すれば、導電ブロック２Ｃとアース端子部２４とは、一体成形されている。
【００６４】
そして、図９に示すように、上記構成の端子台１０は、照明器具４に設けられた取り付け板３に取り付けられる。照明器具４は、光源を取り付ける器具本体４１を備えており、器具本体４１は、端子台１０が取り付けられる上記の構造物３として考えることができる。照明器具４は、器具本体４１に点灯装置を収納しており、器具本体４１に設けられる一対のソケット４２に接続された放電灯Ｌａを点灯させる。端子台１０は、電源と点灯装置との間に介挿され、例えば第１の速結端子部２１ａに電源からの第１の電線が接続され、負荷端子部２３に点灯装置への第３の電線が接続されることで、点灯装置に電力供給される。また、照明器具４を複数台設ける場合、一方の端子台１０の第２の速結端子部２１ｂと他方の端子台１０の第１の速結端子部２１ａとを電線で接続する送り配線することで、複数台の照明器具４に電力供給することができる。
【００６５】
また、照明器具４は、上記構成の端子台１０が取り付けられることで、取り付け板３に形成された端子挿通孔３１の内周面に端子台１０のアース端子部２４が接触し、照明器具４をアース（接地）することができ、安全性を向上させることができる。
【００６６】
本実施形態に係る照明器具４は、以下の第７の特徴を備える。第７の特徴では、照明器具４は、第６の特徴を有する端子台１０を備える。そして、照明器具４は、端子台１０が取り付けられる構造物３として、光源が取り付けられる器具本体４１を備える。
【００６７】
第７の特徴を換言すれば、照明器具４は、電線を挿通させる電線挿通孔１３１を有し、構造物３に対して取付け面が対向するように取り付けられるハウジング１と、ハウジング１に収納され、電線挿通孔１３１に挿通された前記電線が鎖錠接続される１乃至複数の導電ブロック２とを備える。前記１乃至複数の導電ブロック２のうち少なくとも１つは、ハウジング１の前記取付け面から突出して構造物３に形成された端子挿通孔３１に挿通するアース端子部２４を有する。アース端子部２４は、板状の中央片２４１と、中央片２４１の両側端２４１ｃ、２４１ｃから延設され中央片２４１に対して傾斜した板状の側片２４２とを有し、端子挿通孔３１の内周面に当接する端子台１０と、端子台１０が取り付けられる器具本体４１とを備える。
【図１】
0005866529.tif 000002
【図２】
0005866529.tif 000003
【図３】
0005866529.tif 000004
【図４】
0005866529.tif 000005
【図５】
0005866529.tif 000006
【図６】
0005866529.tif 000007
【図７】
0005866529.tif 000008
【図８】
0005866529.tif 000009
【図９】
0005866529.tif 000010
【図１０】
0005866529.tif 000011